(57)【要約】【課題】開閉部を支持する支持部と水平方向に重ならない位置に孔が形成されている装置や、開閉部に隠れない位置に孔が形成されている装置と比較して美観を向上させることができる開閉装置及び画像形成装置を提供する。【解決手段】画像形成装置１０は、第１支持部２１０を備え、通気孔２４０が形成されている画像形成装置本体１２と、第１支持部２１０に支持されていて、画像形成装置本体１２に対して開閉可能に装着された第１開閉部３０とを有し、通気孔２４０は、少なくとも一部分が第１支持部２１０と水平方向において重なる位置に配置されている。【選択図】図５
2018124360.tif 000002
【特許請求の範囲】
【請求項１】
支持部を備え、孔が形成されている開閉装置本体と、
前記支持部に回転可能に支持されていて、前記開閉装置本体に対して開閉可能に装着された開閉部と、
を有し、
前記孔は、少なくとも一部分が前記支持部と水平方向において重なる位置に配置されている開閉装置。
【請求項２】
前記開閉装置本体内に装着された気流発生装置をさらに有し、
前記気流発生装置は、前記孔と対向する位置に配置されている
請求項１記載の開閉装置。
【請求項３】
前記開閉装置本体に対して着脱される着脱体をさらに有し、
前記開閉部は、前記着脱体の着脱時に開閉される請求項１又は２記載の開閉装置。
【請求項４】
孔が形成されている開閉装置本体と、
前記開閉装置本体に対して開閉可能に装着された開閉部と、
を有し、
前記孔は、少なくとも一部分が、前記開閉部が閉じられた状態及び前記開閉部が開かれた状態において前記開閉部に隠れる位置に形成されている開閉装置。
【請求項５】
前記孔は、上端部が、開かれた状態における前記開閉部の上端部よりも下側に位置するように形成されている請求項４記載の開閉装置。
【請求項６】
支持部を備え、孔が形成されている画像形成装置本体と、
前記画像形成装置本体内に配置された画像形成部と、
前記支持部に回転可能に支持されていて、前記画像形成装置本体に対して開閉可能に装着された開閉部と、
を有し、
前記孔は、少なくとも一部分が前記支持部と水平方向において重なる位置に配置されている画像形成装置。
【請求項７】
前記開閉部は、前記画像形成装置本体に対して開いた状態において、前記画像形成部により画像が形成される記録媒体を支持する請求項６記載の画像形成装置。
【請求項８】
孔が形成されている画像形成装置本体と、
前記画像形成装置本体内に配置された画像形成部と、
前記画像形成装置本体に対して開閉可能に装着された開閉部と、
を有し、
前記孔は、少なくとも一部分が、前記開閉部が閉じられた状態及び前記開閉部が開かれた状態において前記開閉部に隠れる位置に形成されている画像形成装置。
【発明の詳細な説明】
【技術分野】
【０００１】
本発明は、開閉装置及び画像形成装置に関する。
【背景技術】
【０００２】
特許文献１には、ディスプレイ取付部を備えるプリンター本体部と、前記ディスプレイ取付部に取り付けられるディスプレイユニットとを有し、前記ディスプレイ取付部には、前記ディスプレイユニットの裏面に対向する対向面が形成され、前記裏面および前記対向面の少なくとも一方に凹部が形成され、前記対向面に形成された凹部、または、前記裏面に形成された凹部に対向する前記対向面の部位に、通気口が形成されていることを特徴とするプリンターが記載されている。
【０００３】
特許文献２には、一方に開口部が形成されて他方に閉塞部が形成されて筒形状をなし、その内部に放射性物質収納部を有する胴本体と、前記開口部を閉塞するように前記胴本体に対して着脱可能な蓋部と、前記胴本体の外周部に設けられて中性子遮蔽体を収容するケーシングと、前記ケーシング内で前記胴本体と前記ケーシングとに接合された伝熱フィンと、を備える放射性物質収納容器において、前記伝熱フィンは、伝熱性の高い金属材料からなる板状の母材と、前記胴本体および前記ケーシングをなす金属材料に対して親和性を有する金属材料からなり前記母材の両端部にのみ配置された接合材とを有して構成され、各前記接合材が前記胴本体および前記ケーシングに溶接されることを特徴とする放射性物質収納容器が記載されている。
【０００４】
特許文献３には、トナー像が形成された記録媒体を加熱して記録媒体上にトナーを定着する定着装置と、該定着装置を通過した記録媒体を下流側に案内する搬送路と、装置本体の前記搬送路と近接する第１の側面部に形成された通気口と、を備えた画像形成装置において、前記装置本体内側の空気を取り込み、前記定着装置の加熱により発生した水蒸気に吹き付けるための空気流を発生させる空気流発生手段と、該空気流発生手段から排出された前記空気流を、前記装置本体外側で前記通気口から出る前記水蒸気に吹き付ける第１の空気流と前記装置本体内側で前記水蒸気に吹き付ける第２の空気流とに分岐可能な空気流分岐手段と、が設けられたことを特徴とする画像形成装置が奇異さされている。
【先行技術文献】
【特許文献】
【０００５】
【特許文献１】特開２０１４−１５１６０７号公報
【特許文献２】特開２０１５−１７８８１号公報
【特許文献３】特開２０１０−２７１６０５号公報
【発明の概要】
【発明が解決しようとする課題】
【０００６】
例えば、通気等のための孔を装置本体に形成すると装置の美観を損なうことがある。また、装置本体が開閉部を有する場合、開閉部が装置本体に対して閉じられた状態においても、開閉部が装置本体に対して開かれた状態においても、孔が隠れた状態とすることが美観を向上させるためにも望ましい。
【０００７】
本発明は、開閉部を支持する支持部と水平方向に重ならない位置に孔が形成されている装置や、開閉部に隠れない位置に孔が形成されている装置と比較して美観を向上させることができる開閉装置及び画像形成装置を提供することを目的とする。
【課題を解決するための手段】
【０００８】
請求項１に係る本発明は、支持部を備え、孔が形成されている開閉装置本体と、前記支持部に回転可能に支持されていて、前記開閉装置本体に対して開閉可能に装着された開閉部と、を有し、前記孔は、少なくとも一部分が前記支持部と水平方向において重なる位置に配置されている開閉装置である。
【０００９】
請求項２に係る本発明は、前記開閉装置本体内に装着された気流発生装置をさらに有し、前記気流発生装置は、前記孔と対向する位置に配置されている
請求項１記載の開閉装置である。
【００１０】
請求項３に係る本発明は、前記開閉装置本体に対して着脱される着脱体をさらに有し、前記開閉部は、前記着脱体の着脱時に開閉される請求項１又は２記載の開閉装置である。
【００１１】
請求項４に係る本発明は、孔が形成されている開閉装置本体と、前記開閉装置本体に対して開閉可能に装着された開閉部と、を有し、前記孔は、少なくとも一部分が、前記開閉部が閉じられた状態及び前記開閉部が開かれた状態において前記開閉部に隠れる位置に形成されている開閉装置である。
【００１２】
請求項５に係る本発明は、前記孔は、上端部が、開かれた状態における前記開閉部の上端部よりも下側に位置するように形成されている請求項４記載の開閉装置である。
【００１３】
請求項６に係る本発明は、支持部を備え、孔が形成されている画像形成装置本体と、前記画像形成装置本体内に配置された画像形成部と、前記支持部に回転可能に支持されていて、前記画像形成装置本体に対して開閉可能に装着された開閉部と、を有し、前記孔は、少なくとも一部分が前記支持部と水平方向において重なる位置に配置されている画像形成装置である。
【００１４】
請求項７に係る本発明は、前記開閉部は、前記画像形成装置本体に対して開いた状態において、前記画像形成部により画像が形成される記録媒体を支持する請求項６記載の画像形成装置である。
【００１５】
請求項８に係る本発明は、孔が形成されている画像形成装置本体と、前記画像形成装置本体内に配置された画像形成部と、前記画像形成装置本体に対して開閉可能に装着された開閉部と、を有し、前記孔は、少なくとも一部分が、前記開閉部が閉じられた状態及び前記開閉部が開かれた状態において前記開閉部に隠れる位置に形成されている画像形成装置である。
【発明の効果】
【００１６】
請求項１に係る本発明によれば、開閉部を支持する支持部と水平方向に重ならない位置に孔が形成されている装置と比較して開閉装置の美観を向上させることができる。
【００１７】
請求項２に係る本発明によれば、気流発生装置が孔に対向しない位置に配置されている装置と比較して、開閉装置内に効率よく気流を発生させることができる。
【００１８】
請求項３に係る本発明によれば、着脱体を着脱するために開閉部を開いた状態における開閉装置の美観を、開閉部を支持する支持部と水平方向に重ならない位置に孔が形成されている装置と比較して向上させることができる。
【００１９】
請求項４に係る本発明によれば、開閉部に隠れない位置に孔が形成されている装置と比較して開閉装置の美観を向上させることができる。
【００２０】
請求項５に係る本発明によれば、孔の上端部が開かれた状態における開閉部の上端部よりも上側に位置する装置と比較して開閉装置の美観を向上させることができる。
【００２１】
請求項６に係る本発明によれば、開閉部を支持する支持部と水平方向に重ならない位置に孔が形成されている装置と比較して画像形成装置の美観を向上させることができる。
【００２２】
請求項７に係る本発明によれば、記録媒体を支持する開閉部を開いた状態における画像形成装置の美観を、開閉部を支持する支持部と水平方向に重ならない位置に孔が形成されている装置と比較して向上させることができる。
【００２３】
請求項８に係る本発明によれば、開閉部に隠れない位置に孔が形成されている装置と比較して画像形成装置の美観を向上させることができる。
【図面の簡単な説明】
【００２４】
【図１】本発明の実施形態で用いられる画像形成装置の外観を示す図である。
【図２】図１に示す画像形成装置を図１に示す面Ａで破断した断面を模式的に示す図である。
【図３】図１に示す画像形成装置を図２に示すＢ−Ｂ面で破断した断面を模式的に示す図である。
【図４】図１に示す画像形成装置が有する前側板を、図２に示す矢印Ｃ−Ｃ側から模式的に示す図である。
【図５】図１に示す画像形成装置が有する開閉部の開閉を説明し、図５（Ａ）は開閉部が閉じられた状態を示す図であり、図５（Ｂ）は開閉部が閉じられた状態を示す図である。
【発明を実施するための形態】
【００２５】
次に、本発明を実施するための形態を、図面を参照して説明する。図１には、本発明の実施形態で用いられる画像形成装置１０が示されている。画像形成装置１０は、特許請求の範囲に記載の画像形成装置の一例であり、特許請求の範囲に記載の開閉装置の一例である。
【００２６】
図１に示すように、画像形成装置１０は画像形成装置本体１２を有し、画像形成装置本体１２は外装部２０と前側側板２００（図２を参照）とを有する。
【００２７】
外装部２０の前側の面には、第１開閉部３０が取り付けられている。第１開閉部３０は、画像形成装置本体１２に回転可能に支持されていて、画像形成装置本体１２に対して開閉可能に装着されている。より具体的には、第１開閉部３０は、画像形成装置本体１２に対して矢印ａに示すように開閉する。第１開閉部３０は、後述するトナー収納容器２８０Ｙ、２８０Ｙ、２８０Ｃ、２８０Ｋ（図２を参照）を画像形成装置本体１２に対して着脱するために開閉される開閉部である。
【００２８】
ここで、トナー収納容器２８０Ｙ、２８０Ｍ、２８０Ｃ、２８０Ｋは、画像形成装置本体１２に対して着脱される着脱体の一例である。トナー収納容器２８０Ｙはイエローのトナーを収納していて、トナー収納容器２８０Ｍはマゼンタのトナーを収納していて、トナー収納容器２８０Ｃはシアンのトナーを収納していて、トナー収納容器２８０Ｋは黒のトナーを収納している。以下の説明において、トナー収納容器２８０Ｙ、２８０Ｍ、２８０Ｃ、２８０Ｋの区別を要しない場合は、これらをトナー収納容器２８０と総称する。
【００２９】
第１開閉部３０の下側には、隙間３４が形成されている。隙間３４は、画像形成装置本体１２内への空気の流入と、画像形成装置本体１２内からの空気の排出とを可能としている。
【００３０】
また、外装部２０の前側の面における第１開閉部３０よりも下側には、第２開閉部４０が取り付けられている。第２開閉部４０は、画像形成装置本体１２に回転可能に支持されていて、画像形成装置本体１２に対して開閉可能に装着されている。より具体的には、第２開閉部４０は、画像形成装置本体１２に対して矢印ｂに示すように開閉する。
【００３１】
第２開閉部４０は、所謂手差トレイであり、画像形成装置本体１２に対して開いた状態において後述する画像形成部１００により画像が形成される用紙を重力方向における下側から支持する。ここで、用紙は記録媒体の一例である。
【００３２】
第２開閉部４０の下側には、隙間４４が形成されている。隙間４４は、画像形成装置本体１２内への空気の流入と、画像形成装置本体１２内からの空気の排出とを可能としている。
【００３３】
また、外装部２０の前側の面であって、第２開閉部４０よりも下側には、引出部５０が装着されている。引出部５０は、矢印ｃで示すように、外装部２０に対して前側に引き出すことができ、引き出した状態から後側へと移動させることができ、外装部２０内に収納可能となっている。
【００３４】
また、外装部２０の右側面には、第３開閉部６０が取り付けられている。第３開閉部６０は、画像形成装置本体１２に回転可能に支持されていて、画像形成装置本体１２に対して開閉可能に装着されている。より具体的には、第３開閉部６０は、画像形成装置本体１２に対して矢印ｄに示すように開閉する。第３開閉部６０は、後述する廃トナー回収容器２９０（図２を参照）を画像形成装置本体１２に対して着脱するために開閉される開閉部である。
【００３５】
ここで、廃トナー回収容器２９０は、画像形成装置本体１２に対して着脱される着脱体の一例である。
【００３６】
第３開閉部６０の下側には、隙間６６が形成されている。隙間６６は、画像形成装置本体１２内への空気の流入と、画像形成装置本体１２内からの空気の排出とを可能としている。
【００３７】
また、外装部２０の上側の面には、画像が形成された用紙が排出される排出部２２が形成されている。
【００３８】
外装部２０、第１開閉部３０、第２開閉部４０、引出部５０及び第３開閉部６０は、例えば樹脂により形成されている。
【００３９】
図２は、画像形成装置１０を図１に示す面Ａで破断した断面を模式的に示す図である。図２においては、図示の便宜上、後述する画像形成部１００等の図示を省略している。
【００４０】
図２に示すように、画像形成装置本体１２の前側側板２００は、第１支持部２１０、２１０を有する。第１支持部２１０、２１０には、それぞれに第１支持孔２１２が形成されていて、第１支持部２１０、２１０は、それぞれが第１開閉部３０を画像形成装置本体１２に対して開閉することができるように支持している。
【００４１】
また、図２に示すように、第１開閉部３０は、第１軸部３２、３２を有する。第１軸部３２、３２が第１支持孔２１２、２１２にそれぞれに挿入されるようにして、第１開閉部３０は前側側板２００に支持されている。また、第１開閉部３０は、第１軸部３２、３２を中心として回転するようにして画像形成装置本体１２に対して開閉する。
【００４２】
画像形成装置本体１２の前側側板２００は、第２支持部２１４、２１４（図３を参照、左右にそれぞれそ配置された第２支持部２１４、２１４のうちの右側に位置する第２支持部２１４のみが図３に示されている）をさらに有する。第２支持部２１４、２１４には、それぞれに第２支持孔２１６が形成されていて、第２支持部２１４、２１４は、それぞれが第２開閉部４０を画像形成装置本体１２に対して開閉することができるように支持している。
【００４３】
また、第２開閉部３０は、第２軸部４２、４２（図３を参照、左右にそれぞれそ配置された第２軸部４２、４２のうちの右側に位置する第２軸部４２のみが図３に示されている）を有する。第２軸部４２、４２が第２支持孔２１６、２１６にそれぞれに挿入されるようにして、第２開閉部４０は前側側板２００に支持されている。また、第２開閉部４０は、第２軸部４２、４２を中心として回転するようにして画像形成装置本体１２に対して開閉する。
【００４４】
また、図２に示すように、画像形成装置本体１２は、第３支持部７０、７０をさらに有する。第３支持部７０、７０には、それぞれに第３支持孔７２、７２が形成されていて、第３支持孔７２、７２は、それぞれが第３開閉部６０を画像形成装置本体１２に対して開閉することができるように支持している。
【００４５】
また、図２に示すように、第３開閉部６０は、第３軸部６２、６２を有する。第３軸部６２、６２が第３支持孔７２、７２にそれぞれに挿入されるようにして、第３開閉部６０は、画像形成装置本体１２に支持されている。また、第３開閉部６０は、第３軸部６２、６２を中心として回転するようにして画像形成装置本体１２に対して開閉する。
【００４６】
また、図２に示すように、画像形成装置本体１２内には、トナー収納容器２８０Ｙ、２８０Ｍ、２８０Ｃ、２８０Ｋが配置されている。トナー収納容器２８０Ｙ、２８０Ｍ、２８０Ｃ、２８０Ｋは、第１開閉部３０を開いた状態で、矢印ｅで示すように画像形成装置本体１２に対して装着することができ、画像形成装置本体１２から引き出すことができる。
【００４７】
また、図２に示すように、画像形成装置本体１２内には、廃トナー回収容器２９０が配置されている。廃トナー回収容器２９０は、第３開閉部６０が開いた状態で、矢印ｆで示すように画像形成装置本体１２に対して装着することができ、画像形成装置本体１２から引き出すことができる。廃トナー回収容器２９０は、後述する感光体ドラム１１２から除去されたトナー等を回収する。
【００４８】
また、図３に示すように、画像形成装置本体１２内には、定着装置４５０が配置されている。定着装置４５０の詳細は後述する。
【００４９】
また、図３に示すように、画像形成装置本体１２内にはファン装置４００が配置されている。ファン装置４００は、気流発生装置の一例であり、ファン４０２を有し、ファン４０２を回転させることで画像形成装置本体１２内に気流を発生させる。
【００５０】
図３は、画像形成装置１０を図２に示すＢ−Ｂ面で破断した断面を模式的に示す図である。先述の定着装置４５０は、例えばハロゲンランプ等の熱源を有する加熱ロール４５２と、用紙を加熱ロール４５２に対して押し付ける押付部材４５４とを有する。
【００５１】
また、図３に示すように、画像形成装置本体１２内には、画像形成部１００が配置されている。画像形成部１００は、例えば電子写真方式が採用されていて、用紙に画像を形成する。画像形成部１００は、例えば、４つの像形成ユニット１１０Ｙ、１１０Ｍ、１１０Ｃ、１１０Ｋを有する。像形成ユニット１１０Ｙはイエローのトナー像を形成し、像形成ユニット１１０Ｍはマゼンタの像を形成し、像形成ユニット１１０Ｃはシアンの像を形成し、像形成ユニット１１０Ｋは黒のトナー像を形成する。
【００５２】
以下の説明において、像形成ユニット１１０Ｙ、１１０Ｍ、１１０Ｃ、１１０Ｋを区別することを要しない場合は、像形成ユニット１１０Ｙ、１１０Ｍ、１１０Ｃ、１１０Ｋを像形成ユニット１１０と総称する。
【００５３】
像形成ユニット１１０は、像保持体の一例である感光体ドラム１１２を有し、感光体ドラム１１２の表面を帯電し、帯電した感光体ドラム１１２の表面に静電潜像を形成し、形成された静電潜像をトナーで現像することでトナー像を形成する。また、像形成ユニット１１０は、感光体ドラム１１２の表面を清掃する清掃装置１１４を有する。清掃装置１１４が感光体ドラム１１２の表面から除去したトナーは、先述の廃トナー回収容器２９０に回収される。
【００５４】
画像形成装置本体１２の内側には、転写装置１３０がさらに配置されている。転写装置１３０は、中間転写体の一例である中間転写ベルト１３２を有する。中間転写ベルト１３２は、複数のローラ部材に吊架されていて、矢印ｇの方向に回転する。
【００５５】
転写装置１３０は、感光体ドラム１１２に形成されたトナー像を中間転写ベルト１３２に転写する１次転写装置１３４を有し、中間転写ベルト１３２から用紙へとトナー像を定着する２次転写装置１３６をさらに有する。
【００５６】
画像形成装置本体１２内には、給紙装置５００がさらに配置されている。給紙装置５００は、用紙を収納する用紙収納部５０２を有する。用紙収納部５０２は、引出部５０に装着されていて、引出部５０と一体として画像形成装置本体１２から引き出すことができ、引出部５０と一体として画像形成装置本体１２に装着することができる。
【００５７】
給紙装置５００は、主送出ロール５０４をさらに有する。主送出ロール５０４は、用紙収納部５０２に収納された用紙を２次転写装置１３６側へと向けて送り出す。
【００５８】
給紙装置５００は、補助送出ロール５０６をさらに有する。補助送出ロール５０６は、画像形成装置本体１２に対して第２開閉部４０が開かれた状態において、第２開閉部４０の上側に置かれた用紙を後述するレジストロール５３６に向けて送り出す。
【００５９】
画像形成装置本体１２内には、用紙を搬送する搬送路５３０が形成されていて、搬送路５３０は、主搬送路５３２と補助搬送路５３４とを有する。主搬送路５３２は、用紙収納部５０２から排出部２２へと向けて用紙を搬送する。主搬送路５３２に沿って、用紙搬送方向における上流側から順に、先述の主送出ロール５０４と、搬送ロール５４０と、レジストロール５３６と、先述の２次転写装置１３６と、先述の定着装置４５０と、排出ロール５３８とが配置されている。
【００６０】
搬送ロール５４０は、用紙をレジストロール５３６に向けて搬送する。
【００６１】
レジストロール５３６は、用紙の斜行を修正し、斜行を修正した用紙を２次転写装置１３６へ予め定められたタイミングで送り出す。
【００６２】
排出ロール５３８は、定着装置４５０によってトナー像が定着された用紙を排出部２２へと排出する。
【００６３】
補助搬送路５３４は、補助送出ロール５０６からレジストロール５３６へと用紙を搬送する。
【００６４】
図４は、前側側板２００を図２に示す矢印Ｃ−Ｃ側から模式的に示す図である。先述のように、前側側板２００は、第１支持部２１０、２１０を有し、第１支持部２１０、２１０には、第１支持孔２１２、２１２がそれぞれに形成されている。また、前側側板２００は、先述のように第２支持部２１４、２１４を有し、第２支持部２１４、２１４には、第２支持孔２１６、２１６がそれぞれに形成されている。
【００６５】
また、前側側板２００には、トナー収納容器２８０Ｙ、２８０Ｍ、２８０Ｃ、２８０Ｋがそれぞれに挿入される挿入孔２３０Ｙ、２３０Ｍ、２３０Ｃ、２３０Ｋが形成されている。
【００６６】
また、前側側板２００には、例えば９個の通気孔２４０が形成されている。
【００６７】
図５には、第１開閉部３０の開閉動作が説明されていて、図５（Ａ）は第１開閉部３０が閉じられた状態を示す図であり、図５（Ｂ）は第１開閉部３０が閉じられた状態を示す図である。
【００６８】
図５（Ａ）に示す第１開閉部３０が閉じられた状態から第１開閉部３０を開くには、第１軸部３２、３２を中心に矢印ａ１の方向に回転させるように、操作者が第１開閉部３０を移動させる。また、図５（Ｂ）に示す第１開閉部３０が開かれた状態から第１開閉部３０を閉じるには、第１軸部３２、３２を中心に矢印ａ２の方向に回転させるように、操作者が第１開閉部３０を移動させる。
【００６９】
また、図５（Ａ）に示すように、第１開閉部３０が閉じられた状態においては、例えば９個の通気孔２４０の少なくとも一部分は、第１支持部２１０と水平方向において重なる位置に配置されている。このため、第１支持部２１０と水平方向に重ならない位置に、９個の通気孔２４０の全てが配置されている場合と比較して、通気孔２４０を見えにくくすることができ、第１開閉部３０が閉じられた状態における画像形成装置１０の美観を向上させることができる。
【００７０】
また、図５（Ｂ）に示すように、第１開閉部３０が開かれた状態においても、例えば９個の通気孔２４０の少なくとも一部分は、第１支持部２１０と水平方向において重なる位置に配置されている。このため、第１支持部２１０と水平方向に重ならない位置に、９個の通気孔２４０の全てが配置されている場合と比較して、通気孔２４０を見えにくくすることができ、第１開閉部３０が開かれた状態における画像形成装置１０の美観を向上させることができる。
【００７１】
上述のように、例えば９個の通気孔２４０は、少なくとも一部分が、第１開閉部３０が閉じられた状態及び第１開閉部３０が開かれた状態において、第１支持部２１０に隠れる位置に形成されている。
【００７２】
また、例えば９個の通気孔２４０の最も上方に位置する通気孔２４０は、その上端部が、開かれた状態における第１開閉部３０の上端部３０ａよりも下側に位置するように形成されている。
【００７３】
以上の説明においては、第１支持部２１０近傍の通気孔２４０の少なくとも一部分が、第１支持部２１０と水平方向において重なる位置に配置されている例を示したものの、第２支持部２１４近傍に単数又は複数の孔を形成し、このような孔の少なくとも一部分が、第２支持部２１４と水平方向において重なるように配置されるようにしてもよい。また、第３支持部７０近傍に単数又は複数の孔を形成し、このような孔の少なくとも一部分が、第３支持部７０と水平方向において重なるように配置されるようにしてもよい。
【００７４】
また、以上の説明においては、第１開閉部３０近傍の通気孔２４０の少なくとも一部分が、第１開閉部３０が閉じられた状態及び第２開閉部３０が開かれた状態において、第１開閉部３０に隠れる位置に形成されている例を示したものの、第２支持部２１４近傍の単数又は複数の孔の少なくとも一部分が、第２開閉部４０が閉じられた状態及び第２開閉部４０が開かれた状態において、第２開閉部に隠れる位置に形成されるようにしてもよい。
【００７５】
また、第３支持部７０近傍の単数又は複数の孔の少なくとも一部分が、第３開閉部６０が閉じられた状態及び第３開閉部６０が開かれた状態において、第３開閉部６０に隠れる位置に形成されるようにしてもよい。
【符号の説明】
【００７６】
１０・・・画像形成装置
１２・・・画像形成装置本体
２０・・・外装部
３０・・・第１開閉部
３０ａ・・・上端部
４０・・・第２開閉部
６０・・・第３開閉部
７０・・・第３支持部
１００・・・画像形成部
２００・・・前側側板
２１０・・・第１支持部
２１４・・・第２支持部
２４０・・・通気孔
４００・・・ファン装置
【図１】
2018124360.tif 000003
【図２】
2018124360.tif 000004
【図３】
2018124360.tif 000005
【図４】
2018124360.tif 000006
【図５】
2018124360.tif 000007